(57)【要約】【課題】モータによってガスバーナに供給されるガス量を増減する火力調節部２２を備える火力調節装置２を介してバーナ１１，１２，１３，１４にガスを供給するガスコンロでは、消火操作が行われると、火力調節部２２の開度を絞り消火する構成を採用している従来のガスコンロがある。ところが、このような構成を採用すると消火操作開始から実際に消火するまで、火力調節部２２の開度を変化させるための時間分だけ遅れ、使用感が損なわれる。【解決手段】立ち消えなどの場合にバーナへのガスの供給を強制的に停止させる電磁安全弁２１を火力調節部２２に対して直列に設け、このように安全のために設けた電磁安全弁２１を通常の消火操作の際にも使用して、手動による消火操作が行われると、火力調節部２２の開度を変化させる前に電磁安全弁２１を閉弁させて、瞬時にバーナを消火させるようにした。【選択図】  図２
2006308228.tif 000002
【特許請求の範囲】
【請求項１】
モータによってガスバーナに供給されるガス量を増減する火力調節部を備える火力調節装置を有するガスコンロにおいて、モータの駆動力によって弁体が押されることによって開弁し、その弁体を開弁状態で吸着保持する電磁石を備えた電磁安全弁を上記火力調節部に対して直列に設け、手動操作によりガスバーナを消火する際にこの電磁安全弁の電磁石に対する通電を停止することにより電磁安全弁を閉弁させて火力調節部からガスバーナへのガスの供給を遮断することを特徴とするガスコンロ。
【請求項２】
電源を電池としたことを特徴とする請求項１のいずれかに記載のガスコンロ。
【発明の詳細な説明】
【技術分野】
【０００１】
本発明は、モータによってガスバーナに供給されるガス量を増減する火力調節部を備える火力調節装置を有するガスコンロに関する。
【背景技術】
【０００２】
従来のこの種のガスコンロとして、モータによってガスバーナへのガスの供給量を増減すると共に、消火時にはガスバーナへのガスの供給を遮断する火力調節部を備えた火力調節装置を内蔵したガスコンロが知られている（例えば、特許文献１参照）。
【０００３】
このガスコンロは複数個のガスバーナを備えており、各ガスバーナには各々火力調節装置が設けられている。これら火力調節装置は並列に接続されており、更に上流には共通１個の元電磁弁が配設されている。
【０００４】
このガスコンロでは、例えば調理中に煮こぼれ等によりガスバーナが消火すると、この消火したガスバーナへのガスの供給を停止するため、モータを作動させて火力調節部を閉弁させている。なお、このとき元電磁弁を閉弁したのでは他のガスバーナへのガスの供給も停止されるので、１個のガスバーナへのガスの供給を停止する際には元電磁弁を閉弁しない。
【特許文献１】特公平７−９４８９０号公報（図３）
【発明の開示】
【発明が解決しようとする課題】
【０００５】
上記従来のようなガスコンロでは、火力調節部をモータで駆動して閉弁するので、通常の操作時には特に問題は生じないが、上記のように、煮こぼれ等が生じて調理途中でガスバーナが消火したような場合には、そのときの開度から閉弁状態まで駆動する間にタイムラグが生じ、ガスバーナへのガスの供給の停止が遅れるという不具合が生じる。
【０００６】
また、調理完了時に消火する操作をすると、ガスコンロ内部ではモータを作動させて火力を絞り、更に閉弁する動作をする必要がある。
【０００７】
特に電池を電源とするガスコンロでは、モータに供給できる電力を大きく設定できないので、モータの作動速度を高速にできない。
【０００８】
そこで本発明は、上記の問題点に鑑み、ガスバーナへのガスの供給をモータによって行うガスコンロであっても、ガスバーナへのガスの供給を瞬時に停止させることのできるガスコンロを提供することを課題とする。
【課題を解決するための手段】
【０００９】
上記課題を解決するために本発明によるガスコンロは、モータによってガスバーナに供給されるガス量を増減する火力調節部を備える火力調節装置を有するガスコンロにおいて、モータの駆動力によって弁体が押されることによって開弁し、その弁体を開弁状態で吸着保持する電磁石を備えた電磁安全弁を上記火力調節部に対して直列に設け、手動操作によりガスバーナを消火する際にこの電磁安全弁の電磁石に対する通電を停止することにより電磁安全弁を閉弁させて火力調節部からガスバーナへのガスの供給を遮断することを特徴とする。
【００１０】
上記構成によれば、電磁石への通電を停止することによって電磁安全弁を閉弁させガスバーナへのガスの供給を遮断するので、モータを作動させて火力調節部の開度を変化させる従来のものに対して、閉弁時の必要な電力が少なく、かつモータを作動させる時間が不要であるので瞬時にガスバーナへのガスの供給を遮断できる。
【００１１】
本発明は、電源を電池としたガスコンロに適用すると、閉弁時に要する電力が少ないので電池の寿命を延ばすことができる。また、電磁安全弁が閉弁した後にゆっくりと火力調節部の開度を絞ればよいので、短時間に大電力を必要とする従来のものに対して消費電力を分散し、瞬間的に必要とされる電力を小さくすることができ、都合がよい。
【発明の効果】
【００１２】
以上の説明から明らかなように、本発明は、ガスバーナへのガスの供給を、電磁安全弁を閉弁させることにより遮断するので、例えば調理終了時にガスバーナを消火する際に、モータを作動させて電力を消費することなく、瞬時にガスバーナを消火することができる。
【発明を実施するための最良の形態】
【００１３】
図１を参照して、１は電池ケース１０にセットされる電池を電源として作動するビルトイン式のガスコンロであり、上面には大バーナ１１、中バーナ１２、および小バーナ１３の大きさの相違する３つのバーナが設けられている。またガスコンロ１の前面に開口部を有するグリル庫内にはグリルバーナ１４が取り付けられている。
【００１４】
操作パネルには電源スイッチ１５が設けられており、この電源スイッチ１５を押操作するとガスコンロ１が作動状態になる。また、この操作パネルには各バーナに対応して４つの操作つまみ１６が設けられている。
【００１５】
この操作つまみ１６は点消火ボタンとしての機能と火力調節つまみとしての機能との２つの機能を備えている。通常時は操作つまみ１６は操作パネル内に埋没しているが、軽く押し込むと操作パネル面から突出する。この突出によりバーナに点火される。バーナに点火されるとその後の火力調節は突出している操作つまみ１６を回動することにより行う。そして、調理が終了してバーナを消火する際には、火力がいずれの状態からでも操作つまみ１６を操作パネルに押し込む。すると、操作つまみ１６は消火スイッチとして機能して、バーナが瞬時に消火される。
【００１６】
なお、操作つまみ１６の周囲には火力を表示する５個のＬＥＤから構成される発光部１６ａが設けられており、操作つまみ１６が突出してバーナに点火されている状態では、火力に応じてこの発光部１６ａのいずれかのＬＥＤが発光し、操作つまみ１６を押し込んでバーナが消火している状態では発光部１６ａが消灯するように構成されている。
【００１７】
つぎに図２を参照して、これら各バーナの上流には開閉式の元電磁弁１８が配設されている。この元電磁弁１８は通常は閉弁しており、外部からの通電により弁体が開弁方向に吸引され開弁し、その後は外部からの開弁保持のための通電により開弁状態を保持するものである。
【００１８】
また、各バーナの近傍には点火プラグ１７が取り付けられている。この点火プラグ１７に高電圧が印加されると、金属製であるバーナの炎孔付近と点火プラグ１７との間に火花放電が発生し、炎孔からガスが噴出すればこの火花放電によってバーナが着火するものである。点火プラグ１７は図外の高圧発生器に接続されている。
【００１９】
本実施の形態では、中バーナ１２への分岐管路に介設され、中バーナ１２の火力を調節する火力調節装置２について説明する。この火力調節装置２には上流側に電磁安全弁２１と、その下流側に位置して火力調節部２２とが内蔵されている。この電磁安全弁２１は内部に電磁石を内蔵しており、後述するコントローラから供給される開弁保持用の電力によって弁体を吸着して開弁状態を保持するものである。ただし、このタイプの電磁安全弁２１は、電磁石で弁体を吸引して開弁することができず、開弁する際には弁体を強制的に押して開弁させ、弁体を電磁石に吸着させる必要がある。弁体が電磁石に一旦吸着されると、弁体を強制的に開弁させていた外部からの強制力を取り除いても、開弁した状態を保持するものである。
【００２０】
各バーナの近傍には後述する熱電対が配設され、コントローラに接続されており、中バーナ１２が消火して熱電対からの熱起電力の電圧が所定の閾値より低下すると、コントローラは電磁安全弁２１に供給していた開弁保持用の電流を遮断する。すると、内蔵するバネの付勢力により弁体は自動的に閉弁状態に復帰する。
【００２１】
図３および図４を参照して、火力調節部２２にはステッピングモータ３が取り付けられている。このステッピングモータ３は図示しないコントローラから供給されるパルス信号によって回転するものであり、供給されるパルス数に比例した回転角度だけ回転するように構成されている。そして、パルスの供給が停止すると出力軸３１は回転を停止し、その状態でロックされる。なお、パルス信号は位相の相違する２つのパルス信号が供給されており、両パルス信号の位相のずれを反転することにより、出力軸３１の回転方向を正逆自在に切り替えることができる。
【００２２】
この出力軸３１には２連のカム４が取り付けられている。このカム４には上下２つのカム部４１，４２が形成されており、カム４の側方に配設した２個のマイクロスイッチ４１ａ，４２ａのオンオフ状態を検出することによって、出力軸３１の原点位置および回転位相を検出して脱調の発生や脱調の程度を判断している。
【００２３】
このカム４を介して、出力軸３１と連動して回転する回転軸３２が設けられている。そして、この回転軸３２の先端には、駆動部材５が固定されている。この駆動部材５には上方に延びる１対の係合突起５１が形成されている。
【００２４】
この駆動部材５を囲うように円筒状のカム部材６が取り付けられている。このカム部材６は係合突起５１に係合して回転するもので、外周面にはカム面６１が形成されている。そしてカム面６１には、ロッド７に摺動自在に取り付けられた摺動子７１がバネ７２の付勢力で当接されている。そして、カム部材６が回転し、摺動子７１を回転軸３２に対して直角方向に押すと、ロッド７も摺動子７１と共に押されて移動する。
【００２５】
ロッド７の先端方向には電磁安全弁２１の弁体２１ａが位置しており、ロッド７が押されて移動すると、このロッド７の先端が弁体２１ａを押して電磁安全弁２１を強制的に開弁させる。なお、摺動子７１とロッド７との間にはバネ７３が取り付けられており、そのため、ロッド７が弁体２１ａを押し切った状態から更に摺動子７１が押されても、ロッド７が摺動子７１内に入り込んで、弁体２１ａに不当な応力が作用することが防止される。なお、弁体２１ａはバネ２１ｂによって常に閉弁方向に付勢されている。
【００２６】
上記駆動部材５の上方には開閉板８が取り付けられており、この開閉板８はバネの付勢力により、上方のガス通路板９に当接している。上記係合突起５１は上方に延設されており、これら１対の係合突起５１が開閉板８に係合している。したがって、回転軸３２が回転すると駆動部材５を介して回転力が開閉板８に伝わり、開閉板８が回転する。
【００２７】
開閉板８には開弁穴８１が上下に貫通して設けられている。一方、ガス通路板９には複数個のガス通路穴９１が、同じく上下に貫通して設けられている。開閉板８が回転すると開弁穴８１がガス通路穴９１のいずれかに一致する。すると、その一致したガス通路穴９１を通ってガスが上方へと流れる。開閉板８を回転させると、開弁穴８１に一致するガス通路穴９１の数や大きさが変わるので、上方へ流れるガスの流量が増減する。
【００２８】
なお、ガス通路板９の上面にはゴム製のガスケット９２を介してオリフィス板９３が取り付けられており、特に中火から弱火に相当する流量のガスが流れる際に、ガス種に応じてガス量を調節している。したがって、ガス種が異なればこのオリフィス板９３のみを交換するだけでよい。
【００２９】
図５を参照して、１００はコントローラであり、上記操作つまみ１６からのオンオフ信号および火力調節信号がコントローラ１００に入力される。また、上記熱電対１９の出力である熱起電力が入力され、内部でデジタル信号に変換される。また、２１ｃは電磁安全弁２１に内蔵されている電磁石のコイルである。
【００３０】
上述のように、コイル２１ｃにはコントローラ１００から通電されて開弁保持されている。バーナが燃焼途中にアクシデントにより失火した場合には、熱電対１９から出力される熱起電力の電圧が低下し、その電圧が所定値を下回ると上述のようにコントローラ１００からコイル２１ｃへの通電が停止し、電磁安全弁２１が閉弁される。
【００３１】
また、調理が終了し操作つまみ１６を押し込んだ場合も同様に、コイル２１ｃへの通電が停止され、バーナへのガスの供給が遮断されて消火した後に、火力調節部２２の開度を初期状態である待機位置に戻すようにした。なお、ガスコンロ１に重大な異常が生じ、すべてのバーナへのガスの供給を停止する際には、４個すべてのコイル２１ｃへの通電を停止し、全部の電磁安全弁２１を閉弁させることとした。そして、すべての電磁安全弁２１を閉弁し、全バーナを消火させた状態で、元電磁弁１８を閉弁させ、その後、火力調節部２２の開度を初期状態である待機位置に戻すこととした。
【００３２】
このように一旦電磁安全弁２１を閉弁させて消火すると、消火時点で火力調節部２２の開度が中火や強火のままになっている場合が生じる。そこで、次に点火操作が行われるまでの間に、火力調節部２２の開度を初期状態である待機位置に戻すことにより、次回の点火操作時にモータ３を待機位置に戻す必要が無くなり、バーナが着火するまでの時間が短縮できて使い勝手がよい。
【００３３】
上記実施の形態ではコイル２１ｃへの通電をコントローラ１００から行ったが、図６に示すように、コイル２１ｃへの開弁保持用の通電を熱電対１９から直接行ってもよい。但し、その場合にはコイル２１ｃと熱電対１９との間にスイッチ手段１０１を介設し、消火する場合にはこのスイッチ手段１０１をオフにしてコイル２１ｃへの通電が停止されるようにしてもよい。
【００３４】
ところで、上記の実施の形態ではガスコンロ１の電源は電池であったが、電灯線等の他の電源を用いるガスコンロに本発明を適用してもよい。
【００３５】
なお、本発明は上記した形態に限定されるものではなく、本発明の要旨を逸脱しない範囲内において種々の変更を加えてもかまわない。
【図面の簡単な説明】
【００３６】
【図１】本発明の一実施の形態の構成を示す図
【図２】バーナの構成を示すブロック図
【図３】火力調節装置の内部構造を示す斜視図
【図４】火力調節装置の内部構造を示す正面断面図
【図５】電磁安全弁への通電のための構成を示すブロック図
【図６】電磁安全弁への通電のための他の構成を示すブロック図
【符号の説明】
【００３７】
１  ガスコンロ
２  火力調節装置
３  ステッピングモータ
５  駆動部材
６  カム部材
８  開閉板
９  ガス通路板
２１  電磁安全弁
１００  コントローラ
【図１】
2006308228.tif 000003
【図２】
2006308228.tif 000004
【図３】
2006308228.tif 000005
【図４】
2006308228.tif 000006
【図５】
2006308228.tif 000007
【図６】
2006308228.tif 000008